(57)【要約】【課題】商品が各コラムに補充される際に生じる衝突音が周囲に洩れることを防止できるとともに、部品点数を大幅に増加させることがなく、しかも商品補充作業を支障なく行うことのできる自動販売機を提供する。【解決手段】自動販売機によれば、商品を各商品収納コラム１１に補充する際に生じる衝突音が周囲に洩れることがないので、騒音が生じることを防止できる。また、騒音発生防止のために必要な部材は遮音部材４０のみであるので、部品点数を大幅に増加させることがなく、製造コストを低減することができる。さらに、各商品投入口１３に遮音用の部材を設ける必要がないので、商品投入作業を常に支障なく行うことができる。【選択図】図３
2007080056.tif 000002
【特許請求の範囲】
【請求項１】
前面を開口した自動販売機本体と、幅方向一端側を自動販売機本体の幅方向一端側に回動自在に連結され、自動販売機本体の前面を開閉する外扉と、自動販売機本体内に設けられた商品収納庫と、商品収納庫内に設けられ、前面上部に商品投入口を有する商品収納コラムとを備え、外扉を開放して商品投入口に商品を投入することにより商品収納コラムに商品を収納するようにした自動販売機において、
開放状態の外扉の幅方向他端側と自動販売機本体の幅方向他端側との間を覆う伸縮自在な遮音部材を備え、
遮音部材を外扉側または自動販売機本体側に収納可能に設けた
ことを特徴とする自動販売機。
【請求項２】
前記遮音部材を引き出し及び巻き取りが可能なロールスクリーン状に形成した
ことを特徴とする請求項１記載の自動販売機。
【請求項３】
前記遮音部材を幅方向に折りたたみ可能なアコーディオン状に形成した
ことを特徴とする請求項１記載の自動販売機。
【発明の詳細な説明】
【技術分野】
【０００１】
本発明は、店舗の店先や自動販売機コーナー等、屋外に設置される自動販売機に関するものである。
【背景技術】
【０００２】
従来、この種の自動販売機として、商品収納庫内にサーペンタイン式の複数のコラムが設置され、このコラムの前面上部には商品投入口が設けられているものが一般的に知られている。この自動販売機は、各商品投入口からコラム内の商品通路に缶飲料等の商品が横向きで補充されるようになっている。
【０００３】
しかしながら、各コラムの商品通路は上下方向に蛇行状に延びるように形成されているため、各商品投入口から補充される商品が蛇行した商品通路の内面に衝突しながら落下する。これにより、商品が各コラムに補充される際に生じる衝突音によって騒音を発生させるという問題点を有していた。
【０００４】
そこで、商品が各商品通路に補充される際に生じる衝突音を低減させるようにした自動販売機が知られている（例えば、特許文献１参照）。この自動販売機では、コラムの前面上部に設けられた各商品投入口に遮蔽部材を付設し、遮蔽部材で各商品投入口を覆うことにより、商品を各コラムに補充する際に生じる衝突音が各商品投入口から洩れないようにしている。
【特許文献１】特開平１０−２１４３７５号公報
【発明の開示】
【発明が解決しようとする課題】
【０００５】
しかしながら、前記自動販売機では、各商品投入口にそれぞれ遮蔽部材を付設する必要があるので、商品投入口数だけ遮蔽部材を設けなければならず、部品点数が大幅に増加して製造コストが高くなるという問題点があった。また、商品を投入する際、遮蔽部材に設けたスリットに商品を押し込むようにしているため、投入作業に支障を生ずるという問題点もあった。
【０００６】
本発明は、上記事情に鑑みてなされたものであり、その目的とするところは、商品が各コラムに補充される際に生じる衝突音が周囲に洩れることを防止できるとともに、部品点数を大幅に増加させることがなく、しかも商品補充作業を支障なく行うことのできる自動販売機を提供することにある。
【課題を解決するための手段】
【０００７】
上記目的を達成するために、本発明の自動販売機は、前面を開口した自動販売機本体と、幅方向一端側を自動販売機本体の幅方向一端側に回動自在に連結され、自動販売機本体の前面を開閉する外扉と、自動販売機本体内に設けられた商品収納庫と、商品収納庫内に設けられ、前面上部に商品投入口を有する商品収納コラムとを備え、外扉を開放して商品投入口に商品を投入することにより商品収納コラムに商品を収納するようにした自動販売機において、開放状態の外扉の幅方向他端側と自動販売機本体の幅方向他端側との間を覆う伸縮自在な遮音部材を備え、遮音部材を外扉側または自動販売機本体側に収納可能に設けた構成となっている。
【０００８】
この自動販売機によれば、外扉が開放された状態で、遮音部材を外扉の幅方向他端側から自動販売機本体の幅方向他端側に亘って伸ばす。そして、遮音部材によって外扉の幅方向他端側と自動販売機本体の幅方向他端側との間を覆った状態で、商品収納コラムの各商品投入口に商品を投入する。これにより、商品を各商品収納コラムに補充する際に生じる衝突音が遮音部材の内側で反射し、周囲に洩れることがない。また、遮音部材を外扉側または自動販売機本体側に収納可能に設けたので、未使用時の遮音部材の収納場所を別途確保する必要がない。
【発明の効果】
【０００９】
本発明によれば、商品が各商品収納コラムに補充される際に生じる衝突音が周囲に洩れることがないので、騒音を低減することができる。また、未使用時の遮音部材の収納場所を別途確保する必要がないので、遮音部材の紛失や損傷を防止することができる。さらに、騒音発生防止のために必要な部材は遮音部材のみであるので、部品点数を大幅に増加させることがなく、製造コストを低減することができる。さらに、商品投入口に遮音用の部材を設ける必要がないので、商品投入作業を常に支障なく行うことができる。
【発明を実施するための最良の形態】
【００１０】
図１乃至図３は本発明の第１実施形態に係る自動販売機を示すもので、図１は自動販売機の全体斜視図、図２は自動販売機の全体斜視図、図３は自動販売機の全体斜視図である。
【００１１】
まず、本発明に係る自動販売機の外観構造に関して、図１及び図２を参照して説明する。
【００１２】
自動販売機は、自動販売機本体１０、外扉２０、内扉３０及び遮音部材４０を備えている。また、自動販売機は、外扉２０や内扉３０が開かれた状態において、オペレータが作業するための作業場所Ａが設けられる。
【００１３】
自動販売機本体１０は前面を開口したものであり、缶飲料等の商品を収納するためのサーペンタイン式の複数の商品収納コラム１１を設置した商品収納庫１２を備えている。この商品収納コラム１１の前面上部には、各商品収納コラム１１に連通する複数の商品投入口１３が設けられている。また、自動販売機本体１０の幅方向他端側１０ｂの前面上部と前面下部の２箇所には磁石１０ｃが備えられている。
【００１４】
外扉２０は自動販売機本体１０の前面を開閉するものであり、この外扉２０の前面には商品サンプル２１、商品選択ボタン２２、紙幣投入口２３、硬貨投入口２４、硬貨返却口２５及び商品取出口２６が設けられている。また、外扉２０の幅方向一端側２０ａは、自動販売機本体１０の幅方向一端側１０ａに回動自在に連結されている。
【００１５】
内扉３０は自動販売機本体１０内の商品収納庫１２を開閉するものであり、内扉３０の幅方向一端側３０ａは、自動販売機本体１０の幅方向一端側１０ａに回動自在に連結されている。
【００１６】
遮音部材４０は遮音性シートからなり、外扉２０の幅方向他端側２０ｂの内側に付設されている。この遮音部材４０は、引き出し及び巻き取りが可能なロールスクリーン状に形成され、外扉２０の幅方向他端側２０ｂから自動販売機本体１０の幅方向他端側１０ｂに向かって伸縮自在に設けられている。また、遮音部材４０の幅方向一端側には、遮音部材４０の引き出し及び巻き取りを行う際に把持するための取手４０ａが設けられている。この取手４０ａの前面上部と前面下部の２箇所には図示しない磁石が設けられている。さらに、遮音部材４０を外扉２０側に収納可能に設けたので、未使用時の遮音部材４０の収納場所を別途確保する必要がない。
【００１７】
このように構成された自動販売機の動作について図１乃至図３を参照して説明する。
【００１８】
まず、図１に示すように自動販売機本体１０の前面を閉じている外扉２０を回動させて（図２に示す白抜き矢印の方向）、自動販売機本体１０の前面を開放する。同様に、自動販売機本体１０内の商品収納庫１２の前面を閉じている内扉３０を回動させて（図２に示す白抜き矢印の方向）、自動販売機本体１０内の商品収納庫１２の前面を開放する。
【００１９】
次に、遮音部材４０の取手４０ａを把持し、遮音部材４０を外扉２０の幅方向他端側２０ｂから自動販売機本体１０の幅方向他端側１０ｂの方向に向かって（図３に示す白抜き矢印の方向）引き出す。これにより、遮音部材４０は、図３に示すように、外扉２０の幅方向他端側２０ｂから自動販売機本体１０の幅方向他端側１０ｂに向かって伸びる。
【００２０】
そして、取手４０ａに備えられた磁石が自動販売機本体１０の幅方向他端側１０ｂに備えられた磁石１０ｃに吸着される。これにより、遮音部材４０が自動販売機本体１０に固定され、図３に示すように、遮音部材４０によって外扉２０の幅方向他端側２０ｂから自動販売機本体１０の幅方向他端側１０ｂが覆われる。
【００２１】
続いて、遮音部材４０によって外扉２０の幅方向他端側２０ｂから自動販売機本体１０の幅方向他端側１０ｂが覆われた状態で、作業場所Ａに立っているオペレータは複数からなる商品収納コラム１１の各商品投入口１３に商品を投入する等の作業を行う。このとき、遮音部材４０が障壁となり、商品を各商品収納コラム１１に補充する際に生じる衝突音が遮音部材４０の内側で反射し、周囲に洩れることがない。
【００２２】
最後に、遮音部材４０の取手４０ａを把持し、自動販売機本体１０の幅方向他端側１０ｂから外扉２０の幅方向他端側２０ｂの方向に向かって（図２に示す白抜き矢印の方向）遮音部材４０を移動させる。これにより、取手４０ａに備えられた磁石と自動販売機本体１０の幅方向他端側１０ｂに備えられた磁石１０ｃとが離れる。そして、遮音部材４０は、図２に示すように、外扉２０の幅方向他端側２０ｂに向かって巻き取られ、外扉２０の幅方向他端側２０ｂに収納される。
【００２３】
このように、本実施形態の自動販売機によれば、商品を各商品収納コラム１１に補充する際に生じる衝突音が周囲に洩れることがないので、騒音が生じることを防止できる。
【００２４】
また、未使用時の遮音部材４０の収納場所を別途確保する必要がないので、遮音部材４０の紛失や損傷を防止することができる。
【００２５】
さらに、騒音発生防止のために必要な部材は遮音部材４０のみであるので、部品点数を大幅に増加させることがなく、製造コストを低減することができる。
【００２６】
さらに、各商品投入口１３に遮音用の部材を設ける必要がないので、商品投入作業を常に支障なく行うことができる。
【００２７】
さらに、遮音部材４０を引き出し及び巻き取りが可能なロールスクリーン状に形成したので、遮音部材４０を容易に出し入れすることができ、作業性の向上を図ることができる。
【００２８】
さらに、遮音部材４０によって、外扉２０の幅方向他端側２０ｂから自動販売機本体１０の幅方向他端側１０ｂまでが覆われるので、例えば金銭の回収作業が外部から見えることがなく、作業時の盗難防止に効果的である。
【００２９】
図４及び図５は本発明の第２実施形態に係る自動販売機を示すもので、図４は自動販売機の平面図、図５は自動販売機の平面図である。尚、前記第１実施形態で示した自動販売機と同一構成部分は同一符号をもって表し、その説明を省略する。
【００３０】
本実施形態は、遮音部材５０を幅方向に折りたたみ可能なアコーディオン状に形成されている点で前記第１実施形態と異なる。
【００３１】
また、遮音部材５０の取手５０ａの前面上部と前面下部の２箇所には図示しない面ファスナーが備えられている点で前記第１実施形態と異なる。
【００３２】
さらに、自動販売機本体１０の幅方向他端側１０ｂの前面上部と前面下部の２箇所には図示しない面ファスナーが備えられている点で前記第１実施形態と異なる。
【００３３】
遮音部材５０は遮音性シートからなり、外扉２０の幅方向他端側２０ｂの内側に付設されている。この遮音部材５０は、幅方向に折りたたみ可能なアコーディオン状であり、外扉２０の幅方向他端側２０ｂから自動販売機本体１０の幅方向他端側１０ｂに向かって伸縮自在に設けられている。また、遮音部材５０の幅方向一端側には、遮音部材５０を引き出したり折りたたんだりする際に把持するための取手５０ａが設けられている。この取手５０ａの前面上部と前面下部の２箇所には図示しない面ファスナーが備えられている。さらに、遮音部材５０を外扉２０側に収納可能に設けたので、未使用時の遮音部材５０の収納場所を別途確保する必要がない。
【００３４】
このように構成された自動販売機の動作について図４及び図５を参照して説明する。尚、自動販売機本体１０の前面を開放する動作は前記第１実施形態と同様なので説明を省略する。
【００３５】
自動販売機本体１０の前面を開放した後、遮音部材５０の取手５０ａを把持し、遮音部材５０を外扉２０の幅方向他端側２０ｂから自動販売機本体１０の幅方向他端側１０ｂの方向に向かって（図４に示す白抜き矢印参照）引き出す。これにより、遮音部材５０は、図５に示すように、外扉２０の幅方向他端側２０ｂから自動販売機本体１０の幅方向他端側１０ｂに向かって伸びる。
【００３６】
そして、取手５０ａに備えられた面ファスナーを自動販売機本体１０の幅方向他端側１０ｂに備えられた面ファスナーに近づけて重ねる。これにより、遮音部材５０が自動販売機本体１０に固定され、図５に示すように、遮音部材５０によって外扉２０の幅方向他端側２０ｂから自動販売機本体１０の幅方向他端側１０ｂが覆われる。
【００３７】
続いて、遮音部材５０によって外扉２０の幅方向他端側２０ｂから自動販売機本体１０の幅方向他端側１０ｂが覆われた状態で、作業場所Ａに立っているオペレータは複数からなる商品収納コラム１１の各商品投入口１３に商品を投入する等の作業を行う。このとき、遮音部材５０が障壁となり、商品を各商品収納コラム１１に補充する際等に生じる衝突音が遮音部材５０の内側で反射し、周囲に洩れることがない。
【００３８】
最後に、遮音部材５０の取手５０ａを把持し、自動販売機本体１０の幅方向他端側１０ｂから外扉２０の幅方向他端側２０ｂの方向に向かって（図５に示す白抜き矢印の方向）遮音部材５０を移動させる。これにより、取手５０ａに備えられた面ファスナーと自動販売機本体１０の幅方向他端側１０ｂに備えられた面ファスナーとが離れる。そして、図４に示すように、外扉２０の幅方向他端側２０ｂに向かって折りたたまれ、外扉２０の幅方向他端側２０ｂに収納される。
【００３９】
このように本実施形態の自動販売機によれば、未使用時の遮音部材５０の収納場所を別途確保する必要がないので、遮音部材５０の紛失や損傷を防止することができる。
【００４０】
また、遮音部材５０を幅方向に折りたたみ可能なアコーディオン状に形成したので、遮音部材５０を容易に出し入れすることができ、作業性の向上を図ることができる。
【００４１】
さらに、前記第１実施形態で示した自動販売機と同様、商品が各商品収納コラム１１に補充される際に生じる衝突音が周囲に洩れることを防止できるので、騒音が生じることを防止できる。さらに、騒音発生防止のために必要な部材は遮音部材５０のみであるので、部品点数を大幅に増加させることがなく、製造コストを低減することができる。さらに、各商品投入口１３に遮音用の部材を設ける必要がないので、商品投入作業を常に支障なく行うことができる。さらに、遮音部材５０によって、外扉２０の幅方向他端側２０ｂから自動販売機本体１０の幅方向他端側１０ｂまでが覆われるので、例えば金銭の回収作業が外部から見えることがなく、作業時の盗難防止に効果的である。
【００４２】
図６乃至図８は本発明の第３実施形態に係る自動販売機を示すもので、図６は自動販売機の全体斜視図、図７は自動販売機の全体斜視図、図８は留め具と掛止部材の概略斜視図である。尚、前記第１実施形態で示した自動販売機と同一構成部分は同一符号をもって表し、その説明を省略する。
【００４３】
本実施形態は、遮音部材６０が自動販売機本体１０側、即ち内扉３０の幅方向他端側３０ｂ内に収納して設置されている点で前記第１実施形態と異なる。
【００４４】
また、遮音部材６０の取手６０ａの前面上部と前面下部の２箇所にはループ状の留め具６０ｂが備えられている点で前記第１実施形態と異なる。
【００４５】
さらに、自動販売機本体１０の幅方向他端側１０ｂの前面上部と前面下部の２箇所には凹部１０ｄが設けられている点で前記第１実施形態と異なる。
【００４６】
遮音部材６０は遮音性シートからなり、内扉３０の幅方向他端側３０ｂ内に収納して設置されている。この遮音部材６０は、引き出し及び巻き取りが可能なロールスクリーン状に形成され、内扉３０の幅方向他端側３０ｂから自動販売機本体１０の幅方向他端側１０ｂに向かって伸縮自在に設けられている。また、遮音部材６０の幅方向一端側には、遮音部材６０の引き出し及び巻き取りを行う際に把持するための取手６０ａが設けられている。この取手６０ａの前面上部と前面下部の２箇所にはループ状の留め具６０ｂが備えられている。さらに、遮音部材６０を自動販売機本体１０側、即ち内扉３０の幅方向他端側３０ｂ内に収納可能に設けたので、未使用時の遮音部材６０の収納場所を別途確保する必要がない。
【００４７】
自動販売機本体１０の幅方向他端側１０ｂの前面上部と前面下部の２箇所には、図６に示すように、凹部１０ｄが設けられている。この凹部１０ｄ内には、図８に示すように、掛止部材１０ｅが備えられている。
【００４８】
このように構成された自動販売機の動作について図６乃至図８を参照して説明する。尚、自動販売機本体１０の前面を開放する動作は前記第１実施形態と同様なので説明を省略する。
【００４９】
自動販売機本体１０の前面を開放した後、遮音部材６０の取手６０ａを把持し、遮音部材６０を内扉３０の幅方向他端側３０ｂから自動販売機本体１０の幅方向他端側１０ｂの方向に向かって（図６に示す白抜き矢印の方向）引き出す。これにより、遮音部材６０は、図７に示すように、内扉３０の幅方向他端側３０ｂから自動販売機本体１０の幅方向他端側１０ｂに向かって伸びる。
【００５０】
そして、図８に示すように、取手６０ａに備えられたループ状の留め具６０ｂを凹部１０ｄ内の掛止部材１０ｅに掛止させる。これにより、遮音部材６０が自動販売機本体１０に固定され、図７に示すように、遮音部材６０によって内扉３０の幅方向他端側３０ｂから自動販売機本体１０の幅方向他端側１０ｂが覆われる。
【００５１】
続いて、遮音部材６０によって内扉３０の幅方向他端側３０ｂから自動販売機本体１０の幅方向他端側１０ｂが覆われた状態で、作業場所Ａに立っているオペレータは複数からなる商品収納コラム１１の各商品投入口１３に商品を投入する等の作業を行う。このとき、遮音部材６０が障壁となり、商品を各商品収納コラム１１に補充する際等に生じる衝突音が遮音部材６０の内側で反射し、周囲に洩れることがない。
【００５２】
最後に、留め具６０ｂが凹部１０ｄ内の掛止部材１０ｅから外された後に、遮音部材６０の取手６０ａを把持し、自動販売機本体１０の幅方向他端側１０ｂから内扉３０の幅方向他端側３０ｂの方向に向かって（図７の白抜き矢印）遮音部材６０を移動させる。これにより、遮音部材６０は、図６に示すように、内扉３０の幅方向他端側３０ｂに向かって巻き取られ、内扉３０の幅方向他端側３０ｂ内に収納される。
【００５３】
このように本実施形態の自動販売機によれば、未使用時の遮音部材６０の収納場所を別途確保する必要がないので、遮音部材６０の紛失や損傷を防止することができる。
【００５４】
また、前記第１実施形態で示した自動販売機と同様、商品が各商品収納コラム１１に補充される際に生じる衝突音が周囲に洩れることを防止できるので、騒音が生じることを防止できる。さらに、騒音発生防止のために必要な部材は遮音部材６０のみであるので、部品点数を大幅に増加させることがなく、製造コストを低減することができる。さらに、各商品投入口１３に遮音用の部材を設ける必要がないので、商品投入作業を常に支障なく行うことができる。さらに、遮音部材６０を引き出し及び巻き取りが可能なロールスクリーン状に形成したので、遮音部材６０を容易に出し入れすることができ、作業性の向上を図ることができる。
【００５５】
尚、前記第１実施形態は、自動販売機本体の全面を開放しているものに適用したが、商品投入口１３のみを開放したものに適用してもよい。商品投入口１３のみが開放された状態であっても、遮音部材４０が外扉２０の幅方向他端側２０ｂの内側に付設されているので、遮音部材４０によって外扉２０の幅方向他端側２０ｂから自動販売機本体１０の幅方向他端側１０ｂまでを覆うことができる。これにより、商品投入口１３のみが開放された状態であっても、商品を各商品収納コラム１１に補充する際に生じる衝突音が周囲に洩れることがないので、騒音が生じることを防止できる。前記第２実施形態に関しても同様である。
【００５６】
また、前記第１実施形態は、自動販売機本体１０の幅方向他端側１０ｂの前面上部と前面下部の２箇所には磁石１０ｃが備えられ、且つ、遮音部材４０の取手４０ａの前面上部と前面下部の２箇所には図示しない磁石が備えられていたが、これに限られない。例えば、遮音部材４０が自動販売機本体１０に固定されるために必要な箇所に磁石を備えていればよい。前記第２実施形態の面ファスナーや、前記第３実施形態の留め具６０ｂと掛止部材１０ｅに関しても同様である。
【００５７】
さらに、前記第１実施形態及び前記第２実施形態の遮音部材４０，５０は、外扉２０の幅方向他端側２０ｂから自動販売機本体１０の幅方向他端側１０ｂを覆うようにしたが、これに限られない。例えば、作業場所Ａに立っているオペレータの頭上を覆うための遮音部材を付設してもよい。
【００５８】
さらに、前記第３実施形態の遮音部材６０は、内扉３０の幅方向他端側３０ｂから自動販売機本体１０の幅方向他端側１０ｂを覆うようにしたが、これに限られない。例えば、作業場所Ａに立っているオペレータの頭上を覆うための遮音部材を付設してもよい。
【００５９】
さらに、前記第１実施形態及び前記第２実施形態の遮音部材４０，５０は、外扉２０の幅方向他端側２０ｂの内側に付設されているが、これに限られない。例えば、前記第３実施形態のように、遮音部材４０，５０が自動販売機本体１０側、即ち内扉３０の幅方向他端側３０ｂ内に収納して設置されていてもよい。
【００６０】
さらに、前記第１実施形態及び前記第２実施形態の遮音部材４０，５０は、外扉２０の幅方向他端側２０ｂの内側に付設されているが、これに限られない。例えば、遮音部材４０，５０が自動販売機本体１０の幅方向他端側１０ｂの内側に付設されてもよい。この場合には、遮音部材４０，５０は自動販売機本体１０の幅方向他端側１０ｂから外扉２０の幅方向他端側２０ｂに向かって伸び、遮音部材４０，５０によって開放状態の外扉２０の幅方向他端側２０ｂと自動販売機本体１０の幅方向他端側１０ｂとの間が覆われる。また、この場合には、遮音部材４０，５０が自動販売機本体１０側に収納可能に設けられるので、未使用時の遮音部材４０，５０の収納場所を別途確保する必要がない。
【００６１】
さらに、前記第３実施形態の遮音部材６０は、内扉３０の幅方向他端側３０ｂ内に収納して設置されているが、これに限られない。例えば、遮音部材４０，５０が自動販売機本体１０の幅方向他端側１０ｂの内側に付設されてもよい。この場合には、遮音部材６０は自動販売機本体１０の幅方向他端側１０ｂから内扉３０の幅方向他端側３０ｂに向かって伸び、遮音部材６０によって開放状態の内扉３０の幅方向他端側３０ｂと自動販売機本体１０の幅方向他端側１０ｂとの間が覆われる。また、この場合には、遮音部材６０が自動販売機本体１０側に収納可能に設けられるので、未使用時の遮音部材６０の収納場所を別途確保する必要がない。
【００６２】
さらに、前記第３実施形態は、ループ状の留め具６０ｂを掛止部材１０ｅに掛止させて遮音部材６０を自動販売機本体１０に固定したが、これに限られない。例えば、Ｓ字形状の留め具と掛止部材とを掛止させて遮音部材６０を固定してもよい。
【図面の簡単な説明】
【００６３】
【図１】本発明の第１実施形態に係る自動販売機の全体斜視図
【図２】本発明の第１実施形態に係る自動販売機の全体斜視図
【図３】本発明の第１実施形態に係る自動販売機の全体斜視図
【図４】本発明の第２実施形態に係る自動販売機の平面図
【図５】本発明の第２実施形態に係る自動販売機の平面図
【図６】本発明の第３実施形態に係る自動販売機の全体斜視図
【図７】本発明の第３実施形態に係る自動販売機の全体斜視図
【図８】本発明の第３実施形態に係る留め具と掛止部材の概略斜視図
【符号の説明】
【００６４】
１０…自動販売機本体、２０…外扉、３０…内扉、４０，５０，６０…遮音部材、Ａ…作業場所。
【図１】
2007080056.tif 000003
【図２】
2007080056.tif 000004
【図３】
2007080056.tif 000005
【図４】
2007080056.tif 000006
【図５】
2007080056.tif 000007
【図６】
2007080056.tif 000008
【図７】
2007080056.tif 000009
【図８】
2007080056.tif 000010